(57)【要約】【課題】ソレノイドを小型化できると共に省電力化を図ることのできるレンズ駆動装置を提供する。【解決手段】レンズ１２を保持するレンズホルダ４と、レンズホルダ４をレンズ１２の光軸方向に移動させる駆動機構５と、駆動機構５を駆動するソレノイド６とを備え、駆動機構５はソレノイド６が通電されるのに伴って駆動されレンズホルダ４を押動して移動させるアーム部材４０を備え、アーム部材４０の一端部にはソレノイド６と着脱する磁着部４５を設け、ソレノイド６は鉄芯の周りにコイルを巻回してなると共に、鉄芯の一端部から他端部側まで延びる延出部５４を備え、磁着部材４５はソレノイド６の通電前状態で鉄芯と所定距離で対向する着脱部４５ｂと、延出部５４に近接する近接部４５ｃとを有してなる。【選択図】図４
2007316242.tif 000002
【特許請求の範囲】
【請求項１】
レンズを保持するレンズホルダと、該レンズホルダを前記レンズの光軸方向に移動させる駆動機構と、該駆動機構を駆動するソレノイドとを備えたレンズ駆動装置において、
前記駆動機構は前記ソレノイドが通電されるのに伴って駆動され前記レンズホルダを押動して移動させるアーム部材を備え、該アーム部材の一端部には前記ソレノイドと着脱する磁着部を設け、
前記ソレノイドは鉄芯の周りにコイルを巻回してなると共に、前記鉄芯の一端部から他端部側まで延びる延出部を備え、前記磁着部材はソレノイドの通電前状態で前記鉄芯と所定距離で対向する着脱部と、前記延出部に近接する近接部とを有してなることを特徴とするレンズ駆動装置。
【請求項２】
前記アーム部材は前記磁着部材を設けた一端部と反対側の他端部を回動自在に支持されて、前記磁着部材は前記アーム部材の回動に伴って揺動自在とされ、
前記磁着部材は前記ソレノイドが通電されると前記近接部を構成する一端部が前記延出部に磁着し、該磁着した一端部を支点として前記着脱部が前記鉄芯に向かって回動することを特徴とする請求項１記載のレンズ駆動装置。
【請求項３】
前記延出部は前記コイルの内側略半周を覆う半円筒状に形成されると共に、前記磁着部材側の端部には円周方向に沿って複数の突出部を有し、前記磁着部材は外形状を前記突出部に対し略等間隔で近接するように切り欠かれて前記近接部を構成していることを特徴とする請求項１または２記載のレンズ駆動装置。
【請求項４】
前記延出部の突出部間には隆起状の載置部が形成され、該載置部には前記ソレノイドが通電された際に前記磁着部材の一端部が磁着して支点を構成することを特徴とする請求項３記載のレンズ駆動装置。
【請求項５】
前記ソレノイドは給電部から電力を供給され、該給電部は前記ソレノイドに電力を供給して前記磁着部材が鉄芯に磁着すると、前記ソレノイドに対する電流量を小さくすることを特徴とする請求項１〜４のいずれか１項に記載のレンズ駆動装置。
【発明の詳細な説明】
【技術分野】
【０００１】
本発明は、レンズを保持したレンズホルダをレンズの光軸方向に移動させることのできるレンズ駆動装置に関し、特にソレノイドを用いてレンズホルダを移動させることのできるレンズ駆動装置に関する。
【背景技術】
【０００２】
携帯電話等の電子機器に内蔵されるカメラモジュールは、レンズを保持したレンズホルダと、レンズからの光を受光し電気信号に変換する撮像素子とを有して構成される。ここで、レンズの焦点距離を変化させるために、レンズホルダの位置を移動させるための機構を設けることがある。レンズホルダを移動させる機構としては、モータを用いたものも考えられるが、大型化や高コスト化を招くこととなるため、より簡易な機構が求められている。
【０００３】
このため、ソレノイドを用いた機構が従来から用いられている。この場合、モータを用いるより簡易に構成することができ、小型化も図ることができる。このようにソレノイドを用いたレンズ駆動装置としては、例えば特許文献１に挙げるようなものがある。
【特許文献１】実開平１−６０２１８号公報
【発明の開示】
【発明が解決しようとする課題】
【０００４】
レンズ駆動装置を携帯電話等の小型の電子機器に用いる場合、小型化や省電力化が要求される。このため、ソレノイドについて小型化及び省電力化が求められている。
【０００５】
本発明は上記課題を鑑みてなされたものであり、ソレノイドを小型化できると共に省電力化を図ることのできるレンズ駆動装置を提供することを目的とする。
【課題を解決するための手段】
【０００６】
上記課題を解決するため、本発明に係るレンズ駆動装置は、レンズを保持するレンズホルダと、該レンズホルダを前記レンズの光軸方向に移動させる駆動機構と、該駆動機構を駆動するソレノイドとを備えたレンズ駆動装置において、
前記駆動機構は前記ソレノイドが通電されるのに伴って駆動され前記レンズホルダを押動して移動させるアーム部材を備え、該アーム部材の一端部には前記ソレノイドと着脱する磁着部を設け、
前記ソレノイドは鉄芯の周りにコイルを巻回してなると共に、前記鉄芯の一端部から他端部側まで延びる延出部を備え、前記磁着部材はソレノイドの通電前状態で前記鉄芯と所定距離で対向する着脱部と、前記延出部に近接する近接部とを有してなることを特徴として構成されている。
【０００７】
また、本発明に係るレンズ駆動装置は、前記アーム部材は前記磁着部材を設けた一端部と反対側の他端部を回動自在に支持されて、前記磁着部材は前記アーム部材の回動に伴って揺動自在とされ、
前記磁着部材は前記ソレノイドが通電されると前記近接部を構成する一端部が前記延出部に磁着し、該磁着した一端部を支点として前記着脱部が前記鉄芯に向かって回動することを特徴として構成されている。
【０００８】
さらに、本発明に係るレンズ駆動装置は、前記延出部は前記コイルの内側略半周を覆う半円筒状に形成されると共に、前記磁着部材側の端部には円周方向に沿って複数の突出部を有し、前記磁着部材は外形状を前記突出部に対し略等間隔で近接するように切り欠かれて前記近接部を構成していることを特徴として構成されている。
【０００９】
さらにまた、本発明に係るレンズ駆動装置は、前記延出部の突出部間には隆起状の載置部が形成され、該載置部には前記ソレノイドが通電された際に前記磁着部材の一端部が磁着して支点を構成することを特徴として構成されている。
【００１０】
そして、本発明に係るレンズ駆動装置は、前記ソレノイドは給電部から電力を供給され、該給電部は前記ソレノイドに電力を供給して前記磁着部材が鉄芯に磁着すると、前記ソレノイドに対する電流量を小さくすることを特徴として構成されている。
【発明の効果】
【００１１】
本発明に係るレンズ駆動装置によれば、ソレノイドが通電されるのに伴って駆動されレンズホルダを押動して移動させるアーム部材を備え、アーム部材の一端部にはソレノイドと着脱する磁着部を設け、ソレノイドは鉄芯の周りにコイルを巻回してなると共に、鉄芯の一端部から他端部側まで延びる延出部を備え、磁着部材はソレノイドの通電前状態で鉄芯と所定距離で対向する着脱部と、延出部に近接する近接部とを有してなることにより、磁力線を着脱部と鉄芯の間に集中させることができ、磁着部材に対するソレノイドの磁着力を高くすることができるので、ソレノイドを小型化できると共に、省電力化を図ることができる。
【００１２】
また、本発明に係るレンズ駆動装置によれば、アーム部材は磁着部材を設けた一端部と反対側の他端部を回動自在に支持されて、磁着部材はアーム部材の回動に伴って揺動自在とされ、磁着部材はソレノイドが通電されると近接部を構成する一端部が延出部に磁着し、磁着した一端部を支点として着脱部が鉄芯に向かって回動することにより、より効率的に磁力線を集中させて磁着部材のソレノイドに対する磁着をなすことができる。
【００１３】
さらに、本発明に係るレンズ駆動装置によれば、延出部はコイルの内側略半周を覆う半円筒状に形成されると共に、磁着部材側の端部には円周方向に沿って複数の突出部を有し、磁着部材は外形状を突出部に対し略等間隔で近接するように切り欠かれて近接部を構成していることにより、簡易な構成で近接部と延出部を近接させることができる。
【００１４】
さらにまた、本発明に係るレンズ駆動装置によれば、延出部の突出部間には隆起状の載置部が形成され、載置部にはソレノイドが通電された際に磁着部材の一端部が磁着して支点を構成することにより、安定的に磁着部材の一端部が支点となるようにすることができる。
【００１５】
そして、本発明に係るレンズ駆動装置によれば、給電部はソレノイドに電力を供給して磁着部材が鉄芯に磁着すると、ソレノイドに対する電流量を小さくすることにより、磁着部材の鉄芯に対する磁着状態を維持するために最低限必要な電流のみを供給することができ、ソレノイドに供給する電力を低減できるので、省電力化を図ることができる。
【発明を実施するための最良の形態】
【００１６】
本発明の実施形態について、図面に沿って詳細に説明する。図１には本実施形態におけるレンズ駆動装置の斜視図を、図２にはレンズ駆動装置の分解斜視図を、図３には上面カバーを取り外した状態のレンズ駆動装置の平面図を、それぞれ示している。これら各図に示すように、本実施形態におけるレンズ駆動装置は、方形状の基板１上に基部２と箱状のハウジング３とを設け、ハウジング３内にはレンズ１２を保持したレンズホルダ４と、レンズホルダ４をレンズ１２の光軸方向に移動させる駆動機構５と、駆動機構５を駆動するソレノイド６とを納め、ハウジング３の上面にはレンズ１２が露出するように上面カバー８が設けられてなるものである。
【００１７】
図２に示すようにレンズホルダ４は、レンズ１２を保持する円筒状のホルダ本体４ａと、ホルダ本体４ａの下部に取付けられ一体化されるリング状のブラケット部４ｂとから構成されている。ホルダ本体４ａの周面には、駆動機構５に押動される押圧片２０が形成されると共に、下部にはブラケット部４ｂを固定するためのブラケット固定部２１が形成されている。また、ブラケット部４ｂの周面には互いに対向する２箇所にそれぞれ突出部２２を有している。さらに、突出部２２からは外方にさらに突出する部分が形成されており、その先端部には上方に向かって突出する円柱状のバネ保持部２３が形成される。バネ保持部２３には付勢バネ７が取付けられ、レンズホルダ４を下方に向かって付勢するようにしている。これによって、レンズホルダ４が上方に押し上げられた状態から元の位置に自動復帰させることができる。
【００１８】
レンズホルダ４に保持されたレンズ１２は、撮像対象からの光を基板１上に配置された撮像素子１０上に集光し、撮像素子１０はそれを電気信号に変換して出力する。ここで、レンズホルダ４は駆動機構５によって、初期状態における位置のほか、レンズ１２の光軸方向において異なる２つのポジションに移動することができる。各ポジション毎にレンズ１２と撮像素子１０との距離が異なるため、レンズ１２の焦点距離を３通り設定することができる。
【００１９】
基部２には、レンズ１２の光軸上にフィルタ１１を配設している。フィルタ１１は、レンズ１２からの光のうち赤外線を遮断する機能を有している。また、ハウジング３は下面が基部２上に係合し固定される。ハウジング３は、外面は略方形状となるように形成されると共に、内面にはレンズホルダ４及び駆動機構５の外周面に略適合するように形成されたホルダ収容部３０と、ソレノイド６の外周面に略適合するように形成されたソレノイド収容部３１とが形成されている。
【００２０】
駆動機構５は、レンズホルダ４を初期状態である第１の位置からそれより上方の第２の位置に移動させる第１のアーム部材４０と、レンズホルダ４を第２の位置からそれより上方の第３の位置に移動させる第２のアーム部材４１とを有している。第１のアーム部材４０と第２のアーム部材４１には、それぞれ一端部に磁着部材４５が設けられている。磁着部材４５は鉄材料からなり、ソレノイド６に着脱することができる。第１のアーム部材４０と第２のアーム部材４１は、いずれも磁着部材４５が設けられた一端部から、レンズホルダ４を囲むように両側に向かって延びており、これらが互い違いに配置されると共に、磁着部材４５が互いに対向するよう向き合って配置されている。
【００２１】
また、第１のアーム部材４０と第２のアーム部材４１の磁着部材４５が設けられる一端部と反対側の端部には、それぞれ回動支点４２が形成されている。回動支点４２は、ハウジング３の内面に対して回動自在となるように取付けられ、これによって第１のアーム部材４０と第２のアーム部材４１は、ハウジング３に対して回動自在とされる。
【００２２】
第１のアーム部材４０と第２のアーム部材４１は、磁着部材４５が設けられた一端部と回動支点４２が形成された他端部との間の中間位置で交差し、この交差位置において第１のアーム部材４０には第１の段部４３が、第２のアーム部材４１には第２の段部４４が、それぞれ形成されている。第１の段部４３と第２の段部４４は、それぞれ第１のアーム部材４０と第２のアーム部材４１が回動動作した際に、レンズホルダ４の周面に形成される押圧片２０に対し当接すると共に、これを上方に向かって押動する。これによってレンズホルダ４をレンズ１２の光軸方向に移動させるようにしている。駆動機構５をこのように構成したことで、回動支点４２が支点、磁着部材４５が力点、段部４３、４４が作用点となる。したがって、てこの原理によって第１の段部４３及び第２の段部４４でレンズホルダ４の押圧片２０を押動する力を、磁着部材４５とソレノイド６の磁着力より大きくすることができる。
【００２３】
ソレノイド６は、第１のソレノイド５０と第２のソレノイド５１とから構成される。図３に示すように、これらはハウジング３内においてレンズホルダ４を挟んで互いに対向するように配置される。ソレノイド６は、鉄芯５２の周囲にコイル５３を巻回してなるものであり、鉄芯５２の一端部にはさらに鉄芯５２の他端部側まで延びる延出部５４を有してなるものである。
【００２４】
また図３に示すように、第１のアーム部材４０と第２のアーム部材４１は、いずれもレンズホルダ４を挟んで略対象形をなすように形成されており、レンズホルダ４に形成される押圧片２０は、第１のソレノイド５０と第２のソレノイド５１を結ぶ径方向と直交する径方向に、互いに対向するように配置される。これによって、レンズホルダ４をレンズ１２の光軸方向にのみ正確に押動することができる。
【００２５】
図２に示すように第１のソレノイド５０は下面側が第１のアーム部材４０に設けられた磁着部材４５と対向し、第２のソレノイド５１は下面側が第２のアーム部材４１に設けられた磁着部材４５と対向する。すなわち、第１のアーム部材４０は第１のソレノイド５０が通電されることによって駆動され、第２のアーム部材４１は第２のソレノイド５１が通電されることによって駆動される。
【００２６】
図１及び図２に示すように、ハウジング３の側面には細板状の導通板３ａが上下方向に設けられる。導通板３ａは、上端部がソレノイド６のコイル５３に接続され、下端部は基板１に接続される。すなわち、ソレノイド６のコイル５３は、導通板３ａを介して基板１側からの電力の供給を受ける。
【００２７】
次に、駆動機構５によるレンズホルダ４の移動について説明する。図４にはソレノイド６の通電前状態におけるレンズホルダ４と駆動機構５及びソレノイド６の側面図を示している。この図に示すように、第１のアーム部材４０の一端部に形成される回動支点４２は、第２のソレノイド５１近傍に配置されており、他端部に設けられる磁着部材４５は、第１のソレノイド５０の下面と対向している。また、第２のアーム部材４１の一端部に形成される回動支点４２は、第１のソレノイド５０近傍に配置されており、他端部に設けられる磁着部材４５は、第２のソレノイド５１の下面と対向している。
【００２８】
第１のアーム部材４０に形成された第１の段部４３と第２のアーム部材４１に形成された第２の段部４４は、上面がそれぞれレンズホルダ４の周面に形成された押圧片２０の下面に当接した状態となっている。第２の段部４４は、押圧片２０との当接部分が更に一段高くなるように、上面に段差部４４ａを有している。
【００２９】
第１のアーム部材４０と第２のアーム部材４１に設けられる磁着部材４５とソレノイド６との関係については、図７〜９でより詳細に説明する。図７には、ソレノイド６の斜視図を示している。この図においては、ソレノイド６を上下反転して示している。この図に示すように、延出部５４はコイル５３の内側略半周を覆う半円筒状に形成され、磁着部材４５が設けられる側の端部には円周方向に沿って複数の突出部５５を有している。また、突出部５５間には隆起状の載置部５６が形成される。磁着部材４５は、この延出部５４の下端部の形状に略適合して近接するように外形状を形成される。
【００３０】
図８には、磁着部材４５の斜視図を示している。この図も図７と同様、磁着部材４５を上下反転して示している。この図に示すように、磁着部材４５は板状の部材を折り曲げて形成しており、折り曲げられた一端部側は細板状に形成された挟持部４５ａであって、第１のアーム部材４０及び第２のアーム部材４１の端部を下面側から挟持する。また、他端部側は略三角形状に形成されて、第１のアーム部材４０及び第２のアーム部材４１の端部を上面側から挟持すると共に、ソレノイド６と対向、着脱する。
【００３１】
磁着部材４５は、略三角形状の部分のうち、折り曲げ部近傍がソレノイド６の鉄芯５２の端部と対向すると共に、ソレノイド６の通電時には鉄芯５２の端部に磁着する着脱部４５ｂとされている。また、三角形状の各辺を構成する外形端部は、延出部５４下部の形状に略適合するように切り欠かれており、これらは延出部５４の各突出部５５とそれぞれ略等間隔で近接する近接部４５ｃとされている。
【００３２】
図９には、磁着部材４５が近接した状態におけるソレノイド６の斜視図を示している。この図は、ソレノイド６が通電されていない状態を示している。この図に示すように、ソレノイド６が通電されていない状態において磁着部材４５は、着脱部４５ｂが鉄芯５２の端部と一定の距離を有して対向しており、近接部４５ｃが延出部５４の縁面と近接しつつ対向するように配置される。
【００３３】
ここで、近接部４５ｃは、延出部５４の突出部５５間に形成される載置部５６とはさらに近接した状態となっている。このため、ソレノイド６が通電されると、磁着部材４５はまず近接部４５ｃが載置部５６に磁着し、この磁着部分を支点として着脱部４５ｂが回動し、鉄芯５２に対して磁着する。
【００３４】
このように、磁着部材４５にソレノイド６の鉄芯５２端部と対向する着脱部４５ｂとソレノイド６の延出部５４と近接する近接部４５ｃを形成したので、ソレノイド６の通電時に磁力線を着脱部４５ｂと鉄芯５２端部の間に集中させることができ、磁着部材４５に対する磁着力を高めることができる。したがって、ソレノイド６の小型化及び省電力化を図ることができる。また、近接部４５ｃの一端部を支点として着脱部４５ｂを回動させるようにしたので、より効率的に磁力線を集中させて磁着部材４５のソレノイド６に対する磁着をなすことができる。
【００３５】
図４に示すように、ソレノイド６の通電前状態においては、第１のアーム部材４０に設けられた磁着部材４５は、着脱部４５ｂが第１のソレノイド５０の鉄芯５２と所定間隔で対向し、近接部４５ｃが第１のソレノイド５０の下面と極めて近接した状態となっている。このように磁着部材４５は第１のソレノイド５０の下面に対して傾斜状となるため、第１のアーム部材４０の先端部付近を上面と下面で挟持しつつ、近接部４５ｃ側においては隙間を有するように取付けられている。
【００３６】
第２のアーム部材４１は、先端部を第１のアーム部材４０よりもソレノイド６との距離が大きくなるように配置している。このため、第２のアーム部材４１に設けられた磁着部材４５は、第１のアーム部材４０に設けられた磁着部材４５よりも、着脱部４５ｂ及び近接部４５ｃと第２のソレノイド５１の下面との距離が大きくなるように配置される。これにより、レンズホルダ４が第２のアーム部材４１に押動される際には、第１のアーム部材４０による押動よりもさらに上方まで移動することになる。すなわち、第１のアーム部材４０と第２のアーム部材４１を順次作動させることにより、レンズホルダ４をそれぞれ異なる位置に移動させることができる。
【００３７】
図５には、第１のソレノイド５０を通電状態とした場合における、レンズホルダ４と駆動機構５及びソレノイド６の側面図を示している。第１のソレノイド５０を通電状態とすると、第１のアーム部材４０に設けられた磁着部材４５は、前述のようにまず近接部４５ｃが延出部５４の載置部５６に磁着し、一端部が磁着及び近接した状態で着脱部４５ｂが鉄芯５２の端部に引きつけられる。それによって磁着部材４５は一端部を支点として回動し、最終的には図５に示すように着脱部４５ｂが鉄芯５２の端部に磁着する。これに伴い、第１のアーム部材４０は回動支点４２を中心に回動し、レンズホルダ４の押圧片２０に当接する第１の段部４３は、押圧片２０を上方に向かって押動することによりレンズホルダ４を上方に移動させる。レンズホルダ４は、第１のアーム部材４０による押動によって、ソレノイド６の通電前状態における第１の位置から、レンズ１２の光軸方向において撮像素子１０からの距離が第１の位置より大きい第２の位置に移動する。
【００３８】
レンズホルダ４は、第１のアーム部材４０によって第１の位置から第２の位置に移動する際、ブラケット部４ｂに形成される突出部２２の上面が第２のアーム部材４１の第２の段部４４を上方に押動する。これによって第２のアーム部材４１は回動支点４２を中心に回動し、一端部に設けられる磁着部材４５は、第２のソレノイド５１の下面に近接した状態となる。このように、第１のアーム部材４０の作動時に、レンズホルダ４によって第２のアーム部材４１を押動して、第２のアーム部材４１に設けられる磁着部材４５を第２のソレノイド５１に予め近接させておくことにより、第２のアーム部材４１を作動させるために必要な磁力を小さくすることができ、ソレノイド６を小型化することができると共に、ソレノイド６における省電力化も図ることができる。
【００３９】
図６には、第２のソレノイド５１を通電状態とした場合における、レンズホルダ４と駆動機構５及びソレノイド６の側面図を示している。第２のソレノイド５１を通電状態とすると、第２のアーム部材４１に設けられた磁着部材４５は、第１のアーム部材４０の場合と同様にして、着脱部４５ｂが鉄芯５２の端部に磁着する。これに伴い、第２のアーム部材４１は回動支点４２を中心に回動し、レンズホルダ４の押圧片２０に当接する第２の段部４４は、押圧片２０を上方に向かって押動することによりレンズホルダ４を上方に移動させる。レンズホルダ４は、第２のアーム部材４１による押動によって、第２の位置から、レンズ１２の光軸方向において撮像素子１０からの距離が第２の位置より大きい第３の位置に移動する。なお、この際において第１のアーム部材４０は機能しないため、第１のソレノイド５０に対する通電は、第２のソレノイド５１に対する通電開始と同時に停止させる。
【００４０】
基板１と接続された外部には、ソレノイド６のコイル５３に電力を供給する給電部（図示しない）が設けられ、給電部は各ソレノイド５０、５１に流す電流を調整する。第１の位置にあるレンズホルダ４を第２の位置に移動させる場合、給電部は第１のソレノイド５０に対して所定の電流を流し、第１のアーム部材４０の動作を駆動する。第１のアーム部材４０に設けられた磁着部材４５が第１のソレノイド５０に磁着し、レンズホルダ４が第２の位置に移動したら、給電部は第１のソレノイド５０に対する電流を小さくする。ソレノイド６は、鉄芯５２から離隔した状態の磁着部材４５を引きつけてそれに磁着させるためには、ある程度大きな電流を必要とするが、磁着した後にその状態を維持するために必要な電流はそれより小さくてもよいため、磁着後に電流量を小さくすることで、省電力化を図ることができる。
【００４１】
また、レンズホルダ４を第２の位置から第３の位置に移動させる場合、給電部は第２のソレノイド５１に対して所定の電流を流し、第１のソレノイド５０に対する電力供給は停止する。第２のアーム部材４１に設けられた磁着部材４５が第２のソレノイド５１に磁着し、レンズホルダ４が第３の位置に移動したら、給電部は第２のソレノイド５１に対する電流を小さくする。レンズホルダ４を第１の位置から第３の位置に移動させる場合には、第１の位置から第２の位置に移動させる動作と、第２の位置から第３の位置に移動させる動作を連続的に行う。また、レンズホルダ４を第２の位置または第３の位置から第１の位置に移動させる場合、給電部はソレノイド６に対する電力供給を停止し、付勢バネ７の付勢力によりレンズホルダ４を第１の位置に復帰させる。
【００４２】
以上、本発明の実施形態について説明したが、本発明の適用は本実施形態には限られず、その技術的思想の範囲内において様々に適用され得るものである。
【図面の簡単な説明】
【００４３】
【図１】本実施形態におけるレンズ駆動装置の斜視図である。
【図２】レンズ駆動装置の分解斜視図である。
【図３】上面カバーを取り外した状態におけるレンズ駆動装置の平面図である。
【図４】ソレノイドの通電前状態におけるレンズホルダと駆動機構及びソレノイドの側面図である。
【図５】第１のソレノイドの通電状態におけるレンズホルダと駆動機構及びソレノイドの側面図である。
【図６】第２のソレノイドの通電状態におけるレンズホルダと駆動機構及びソレノイドの側面図である。
【図７】磁着部材の斜視図である。
【図８】ソレノイドの斜視図である。
【図９】磁着部材が近接した状態におけるソレノイドの斜視図である。
【符号の説明】
【００４４】
１    基板
２    基部
３    ハウジング
４    レンズホルダ
５    駆動機構
６    ソレノイド
７    付勢バネ
８    上面カバー
１２    レンズ
２０    押圧片
２２    突出部
４０    第１のアーム部材
４１    第２のアーム部材
４２    回動支点
４３    第１の段部
４４    第２の段部
４５    磁着部材
４５ａ  挟持部
４５ｂ  着脱部
４５ｃ  近接部
５０    第１のソレノイド
５１    第２のソレノイド
５２    鉄芯
５３    コイル
５４    延出部
５５    突出部
５６    載置部
【図１】
2007316242.tif 000003
【図２】
2007316242.tif 000004
【図３】
2007316242.tif 000005
【図４】
2007316242.tif 000006
【図５】
2007316242.tif 000007
【図６】
2007316242.tif 000008
【図７】
2007316242.tif 000009
【図８】
2007316242.tif 000010
【図９】
2007316242.tif 000011